(57)【要約】【課題】太陽電池モジュールのコーナ部及び縁部の両方に適用可能な太陽電池モジュール梱包部材を得ること。【解決手段】太陽電池モジュール２０１，２０２の間に配置される太陽電池モジュール梱包部材１０８であって、上側の太陽電池モジュールの２０２のフレーム２１２の下面をなすフランジ部１０３２にコーナ部又は外周の辺の中間部である縁部において係合する係合部１０７と、互いに交差する少なくとも二方向に係合部１０７から延びる平面部１０５と、平面部１０５の先端部に設けられた鉤部１０６とを備え、鉤部１０６は、下側の太陽電池モジュール２０１のフレーム２１１の側面１０４１に係合可能であり、係合部１０７と鉤部１０６との距離は、フランジ部１０３１，１０３２の幅以上であり、平面部１０５は、鉤部１０６が下側の太陽電池モジュール２０１のフレーム２１１の側面１０４１に係合せずに受光面に当接すると弾性変形する。【選択図】図５
2019085117.tif 000002
【特許請求の範囲】
【請求項１】
太陽電池パネルの四辺にフレームが装着された太陽電池モジュールを複数積み重ねる際に前記太陽電池モジュール同士の間に配置される太陽電池モジュール梱包部材であって、
上側の前記太陽電池モジュールの前記フレームの下面をなすフランジ部にコーナ部又は外周の辺の中間部である縁部において係合可能な係合部と、互いに交差する少なくとも二方向に前記係合部から延びる平面部と、該平面部の先端部に設けられた鉤部とを備え、
前記鉤部は、下側の前記太陽電池モジュールの前記フレームの側面に係合可能であり、
前記係合部と前記鉤部との距離は、前記フランジ部の幅以上であり、
前記平面部は、前記鉤部が下側の前記太陽電池モジュールの前記フレームの側面に係合せずに受光面に当接すると弾性変形することを特徴とする太陽電池モジュール梱包部材。
【請求項２】
前記平面部は、前記先端部に凹部が形成されていることを特徴とする請求項１に記載の太陽電池モジュール梱包部材。
【請求項３】
前記係合部は、上面に凹部が形成されていることを特徴とする請求項２に記載の太陽電池モジュール梱包部材。
【請求項４】
前記平面部は、上側の前記太陽電池モジュールの前記フランジ部と係合する突起部を備えることを特徴とする請求項１から３のいずれか１項に記載の太陽電池モジュール梱包部材。
【請求項５】
太陽電池パネルの四辺にフレームが装着された太陽電池モジュールを複数積み重ねた太陽電池モジュール梱包体であって、
前記太陽電池モジュール同士の間に配置される太陽電池モジュール梱包部材を備え、
前記太陽電池モジュール梱包部材は、
上側の前記太陽電池モジュールの前記フレームの下面をなすフランジ部にコーナ部又は外周の辺の中間部である縁部において係合可能な係合部と、互いに交差する少なくとも二方向に前記係合部から延びる平面部と、該平面部の先端部に設けられた鉤部とを備え、
前記鉤部は、下側の前記太陽電池モジュールの前記フレームの側面に係合可能であり、
前記係合部と前記鉤部との距離は、前記フランジ部の幅以上であり、
複数の前記太陽電池モジュールのコーナ部に配置された複数の前記太陽電池モジュール梱包部材は、形状が同じであり、
前記平面部は、前記鉤部が下側の前記太陽電池モジュールの前記フレームの側面に係合せずに受光面に当接すると弾性変形することを特徴とする太陽電池モジュール梱包体。
【請求項６】
複数の前記太陽電池モジュールの外周の辺の中間部である縁部に、前記コーナ部に配置された前記太陽電池モジュール梱包部材と同じ形状の前記太陽電池モジュール梱包部材が配置されたことを特徴とする請求項５に記載の太陽電池モジュール梱包体。
【請求項７】
複数の前記太陽電池モジュールを固定する締結バンドを備え、
前記太陽電池モジュール梱包部材は、前記締結バンドが配置される凹部が前記先端部に形成されていることを特徴とする請求項５又は６に記載の太陽電池モジュール梱包体。
【請求項８】
複数の前記太陽電池モジュールのうち最上段の前記太陽電池モジュールの上に配置された前記太陽電池モジュール梱包部材の前記係合部の上面に、前記フランジ部と係合する突起が形成されていることを特徴とする請求項７に記載の太陽電池モジュール梱包体。
【請求項９】
複数の前記太陽電池モジュールを積載するパレットを有し、
前記パレットの外形寸法は、前記太陽電池モジュールと同じであり、
前記パレットのコーナ部に前記太陽電池モジュール梱包部材が配置されたことを特徴とする請求項５から８のいずれか１項に記載の太陽電池モジュール梱包体。
【請求項１０】
前記パレットの外周の辺の中間部である縁部に前記太陽電池モジュール梱包部材が配置されたことを特徴とする請求項９に記載の太陽電池モジュール梱包体。
【請求項１１】
複数の前記太陽電池モジュールを積載するパレットを有し、
前記パレットの外形寸法は、前記太陽電池モジュールよりも大きく、
前記パレットの上面には、前記鉤部の干渉を防止する凹状の干渉防止部が形成されていることを特徴とする請求項５から８のいずれか１項に記載の太陽電池モジュール梱包体。
【発明の詳細な説明】
【技術分野】
【０００１】
本発明は、太陽電池モジュールを積み重ねる際に用いる太陽電池モジュール梱包部材及び太陽電池モジュールを積み重ねた太陽電池モジュール梱包体に関する。
【背景技術】
【０００２】
太陽電池モジュールを運搬する際には、太陽電池モジュール同士が接触又は衝突して太陽電池モジュールが傷ついたり、太陽電池モジュールが他の物品又は人を傷つけたりすることを防止するために、太陽電池モジュールが包装される。太陽電池モジュールを包装する際には、モジュール全体を包装する場合と、モジュールの端部又はコーナ部のみを包装する場合とがあり、用途に応じた包装部材が用いられている。包装された太陽電池モジュールは、複数枚積み重ねて一纏めにされる。以下、太陽電池モジュールを積み重ねて一纏めにすることを梱包という。
【０００３】
特許文献１には、太陽電池モジュールを積み重ねて梱包する際に用いる梱包部材である支持構造体が開示されている。特許文献１に開示される支持構造体は、太陽電池モジュールのコーナ部に載置して使用され、太陽電池モジュールを支持する支持部と上下に隣接する支持構造体と係合する凹凸部とを有し、複数段積み重ねられるようになっている。また、太陽電池モジュールの外周の辺の中間部である縁部に横方向から緩衝部材を嵌め合わせることで、太陽電池モジュールが撓んだ際でも上下方向に隣接する太陽電池モジュール同士の接触又は衝突を防ぎ、さらに運搬時の振動による太陽電池モジュールの水平方向の動きを抑えている。
【先行技術文献】
【特許文献】
【０００４】
【特許文献１】国際公開第２０１３／０９４３１７号
【発明の概要】
【発明が解決しようとする課題】
【０００５】
特許文献１に開示される発明は、太陽電池モジュールのコーナ部に配置する支持構造体と縁部に嵌め合わせる緩衝部材との２種類の部材を用いるため、太陽電池モジュールを積み重ねて梱包する作業の効率が低くなってしまう。
【０００６】
本発明は、上記に鑑みてなされたものであって、太陽電池モジュールのコーナ部及び縁部の両方に適用可能な太陽電池モジュール梱包部材を得ることを目的とする。
【課題を解決するための手段】
【０００７】
上述した課題を解決し、目的を達成するために、本発明は、太陽電池パネルの四辺にフレームが装着された太陽電池モジュールを複数積み重ねる際に太陽電池モジュール同士の間に配置される太陽電池モジュール梱包部材であって、上側の太陽電池モジュールのフレームの下面をなすフランジ部にコーナ部又は外周の辺の中間部である縁部において係合可能な係合部と、互いに交差する少なくとも二方向に係合部から延びる平面部と、該平面部の先端部に設けられた鉤部とを備える。鉤部は、下側の太陽電池モジュールのフレームの側面に係合可能である。係合部と鉤部との距離は、フランジ部の幅以上である。平面部は、鉤部が下側の太陽電池モジュールのフレームの側面に係合せずに受光面に当接すると弾性変形する。
【発明の効果】
【０００８】
本発明によれば、太陽電池モジュールのコーナ部及び縁部の両方に適用可能な太陽電池モジュール梱包部材を得られるという効果を奏する。
【図面の簡単な説明】
【０００９】
【図１】本発明の実施の形態１に係る太陽電池モジュール梱包部材を用いて太陽電池モジュールを積み重ねた太陽電池モジュール梱包体の斜視図
【図２】実施の形態１に係る太陽電池モジュール梱包部材を用いて積み重ねられる太陽電池モジュールの斜視図
【図３】実施の形態１に係る太陽電池モジュール梱包部材の斜視図
【図４】実施の形態１に係る太陽電池モジュール梱包部材を用いた太陽電池モジュール梱包体の太陽電池モジュールを積み重ねる途中の状態を示す斜視図
【図５】実施の形態１に係る太陽電池モジュール梱包部材を用いた太陽電池モジュール梱包体での太陽電池モジュールと太陽電池モジュール梱包部材との係合状態を示す断面図
【図６】実施の形態１に係る太陽電池モジュール梱包部材を用いた太陽電池モジュール梱包体での太陽電池モジュールと太陽電池モジュール梱包部材との係合状態を示す断面図
【図７】実施の形態１に係る太陽電池モジュール梱包部材を用いた太陽電池モジュール梱包体での太陽電池モジュールと太陽電池モジュール梱包部材との係合状態を示す断面図
【図８】実施の形態１に係る太陽電池モジュール梱包部材を用いて太陽電池モジュールを積み重ねた太陽電池モジュール梱包体の別の一例を示す図
【図９】実施の形態１に係る太陽電池モジュール梱包部材の第１の変形例を示す図
【図１０】実施の形態１に係る太陽電池モジュール梱包部材の第２の変形例を示す図
【図１１】本発明の実施の形態２に係る太陽電池モジュール梱包部材の斜視図
【図１２】実施の形態２に係る太陽電池モジュール梱包部材を用いて太陽電池モジュールを積み重ねた太陽電池モジュール梱包体の斜視図
【図１３】実施の形態２に係る太陽電池モジュール梱包部材の変形例を示す斜視図
【図１４】本発明の実施の形態３に係る太陽電池モジュール梱包部材の斜視図
【図１５】実施の形態３に係る太陽電池モジュール梱包部材を用いた太陽電池モジュール梱包体での太陽電池モジュールと太陽電池モジュール梱包部材との係合状態を示す断面図
【発明を実施するための形態】
【００１０】
以下に、本発明の実施の形態に係る太陽電池モジュール梱包部材及び太陽電池モジュール梱包体を図面に基づいて詳細に説明する。なお、この実施の形態によりこの発明が限定されるものではない。
【００１１】
実施の形態１．
図１は、本発明の実施の形態１に係る太陽電池モジュール梱包部材を用いて太陽電池モジュールを積み重ねた太陽電池モジュール梱包体の斜視図である。図２は、実施の形態１に係る太陽電池モジュール梱包部材を用いて積み重ねられる太陽電池モジュールの斜視図である。図３は、実施の形態１に係る太陽電池モジュール梱包部材の斜視図である。図４は、実施の形態１に係る太陽電池モジュール梱包部材を用いた太陽電池モジュール梱包体の太陽電池モジュールを積み重ねる途中の状態を示す斜視図である。
【００１２】
太陽電池モジュール２０は、太陽電池パネル２０ａと、太陽電池パネル２０ａの外縁部を囲むフレーム２１とを備えている。太陽電池パネル２０ａは、複数の太陽電池セルが配列されて電気的に接続された平板状の部材であり、背面には外部負荷との電気的接続用の端子箱が設置されている。フレーム２１は、太陽電池パネル２０ａの外縁部を囲む枠状であり、太陽電池パネル２０ａを保持して太陽電池モジュール２０の設置時には不図示の架台に固定される。
【００１３】
太陽電池モジュール２０は、図１に示すように、パレット１１５の上に、太陽電池モジュール梱包部材１０８を間に挟んで積み重ねられ、太陽電池モジュール梱包体１０を構成する。図３に示すように、太陽電池モジュール梱包部材１０８は、上部に設けられた係合部１０７と、係合部１０７から延びる三つの平面部１０５を有する。なお、太陽電池モジュール梱包部材１０８の詳細については後述する。なお、太陽電池モジュール梱包体１０は、パレット１１５を備えない構成であってもよい。太陽電池モジュール梱包体１０を構成する複数の太陽電池モジュール２０は、同一形状である。太陽電池モジュール梱包体１０は、締結バンド１２１で複数の太陽電池モジュール２０が纏められる。なお、太陽電池モジュール梱包体１０全体にラッピング材を巻き付けて複数の太陽電池モジュール２０を纏めることもある。なお、太陽電池モジュール２０は、締結バンド１２１で纏められていなくてもよい。
【００１４】
太陽電池モジュール２０をパレット１１５上に積み重ねる手順について説明する。まず、パレット１１５の上に太陽電池モジュール２０を積載する。次に、太陽電池モジュール２０の４箇所のコーナ部２２と、外周の辺の中間部となる縁部２３とに太陽電池モジュール梱包部材１０８を配置する。その後、太陽電池モジュール梱包部材１０８と係合するように太陽電池モジュール２０を積載する。以後、太陽電池モジュール２０の上に太陽電池モジュール梱包部材１０８を配置する作業と、太陽電池モジュール梱包部材１０８と係合するように太陽電池モジュール２０を積載する作業とを繰り返す。
【００１５】
図５、図６及び図７は、実施の形態１に係る太陽電池モジュール梱包部材を用いた太陽電池モジュール梱包体での太陽電池モジュールと太陽電池モジュール梱包部材との係合状態を示す断面図である。図５は、図４中のV-V線に沿った断面での太陽電池モジュール２０と太陽電池モジュール梱包部材１０８との係合状態を示している。図６は、図４中のVI-VI線に沿った断面での太陽電池モジュール２０と太陽電池モジュール梱包部材１０８との係合状態を示している。図７は、図４中のVII-VII線に沿った断面での太陽電池モジュール２０と太陽電池モジュール梱包部材１０８との係合状態を示している。なお、図５、図６及び図７では、重ね合わせた２枚の太陽電池モジュール２０及び太陽電池モジュール梱包部材１０８のみを図示している。以下の説明では、重ね合わせた２枚の太陽電池モジュール２０のうち、上側の太陽電池モジュール２０と下側の太陽電池モジュール２０とを区別する場合には、下側の太陽電池モジュール２０を太陽電池モジュール２０１と称し、上側の太陽電池モジュール２０を太陽電池モジュール２０２と称して区別する。太陽電池モジュール２０１，２０２の構成要素についても同様に、符号に下付数字を付して区別する。すなわち、太陽電池モジュール２０１は、太陽電池パネル２０ａ１とフレーム２１１とを備え、太陽電池モジュール２０２は、太陽電池パネル２０ａ２とフレーム２１２とを備える。
【００１６】
太陽電池モジュール２０１のフレーム２１１は、太陽電池パネル２０ａ１の外周を囲んで太陽電池パネル２０ａ１を保持する保持部１０２１を上部に備える。フレーム２１１は、太陽電池モジュール２０１を設置する際に架台に固定されるフランジ部１０３１を下部に備える。フランジ部１０３１と保持部１０２１とは、側面１０４１で繋がっている。フランジ部１０３１は、太陽電池モジュール２０１の各辺において、同一の幅Ｗを有する。フランジ部１０３１の幅とは、側面１０４１から内縁部１０３ａ１までの距離である。フレーム２１２は、太陽電池モジュール２０２を設置する際に架台に固定されるフランジ部１０３２を下部に備える。フランジ部１０３２と保持部１０２２とは、側面１０４２で繋がっている。フランジ部１０３２は、太陽電池モジュール２０２の各辺において、同一の幅Ｗを有する。フランジ部１０３２の幅とは、側面１０４２から内縁部１０３ａ２までの距離である。
【００１７】
太陽電池モジュール梱包部材１０８は、フレーム２１２のフランジ部１０３２に係合する係合部１０７と、係合部１０７から９０度ずつ異なる向きで三方向に延びる三つの平面部１０５とを有する。なお、係合部１０７がフランジ部１０３２に係合するとは、フランジ部１０３２の内縁部１０３ａ２が係合部１０７の縁に当接することをいう。平面部１０５は、先端部に鉤部１０６を備えている。したがって、太陽電池モジュール梱包部材１０８は、鉤部１０６を三つ備えている。平面部１０５は弾力性を備えており、平面部１０５をなす面の法線方向に弾性変形可能である。係合部１０７から鉤部１０６までの長さは、フレーム２１１，２１２のフランジ部１０３１，１０３２の幅Ｗ以上になっている。太陽電池モジュール梱包部材１０８は、プラスチック成形で製造可能である。
【００１８】
実施の形態１に係る太陽電池モジュール梱包部材１０８において、係合部１０７は矩形状であり、三辺から三つの平面部１０５が延びている。係合部１０７は、フランジ部１０３に係合する形状であればよく、矩形状に限定はされない。係合部１０７から平面部１０５が延びる向きは、必ずしも９０度ずつ異なる向きである必要はなく、後述するようにコーナ部２２において二つの平面部１０５の鉤部１０６が側面１０４１に係合できればよい。
【００１９】
太陽電池モジュール２０１のコーナ部２２には、三つの鉤部１０６のうちの二つが側面１０４１と係合するように太陽電池モジュール梱包部材１０８が配置される。太陽電池モジュール梱包部材１０８は、側面１０４１と係合しない鉤部１０６が形成されている平面部１０５が太陽電池モジュール２０１の長辺に沿って延びるようにコーナ部２２に配置されても良いし、短辺に沿って延びるようにコーナ部２２に配置されても良い。
【００２０】
太陽電池モジュール２０１の縁部２３には、三つの鉤部１０６のうちの一つが側面１０４１と係合するように太陽電池モジュール梱包部材１０８が配置される。太陽電池モジュール梱包部材１０８は、側面１０４１と係合しない鉤部１０６が形成されている平面部１０５が太陽電池モジュール２０１の長辺に沿って延びるようにコーナ部２２に配置されても良いし、二つの平面部１０５の一方が短辺に沿って延び、他方が長辺に沿って延びるように縁部２３に配置されても良い。
【００２１】
太陽電池モジュール２０２は、太陽電池モジュール２０１の上方に太陽電池モジュール梱包部材１０８を介して重ねて配置されている。太陽電池モジュール梱包部材１０８の上部に矩形状に形成されている係合部１０７は、太陽電池モジュール２０２のフレーム２１２の下部に形成されている幅Ｗのフランジ部１０３２の内縁部１０３ａ２に係合する。係合部１０７から鉤部１０６までの長さは、フランジ部１０３２の幅Ｗ以上であるため、太陽電池モジュール梱包部材１０８は、太陽電池モジュール２０１の全てのコーナ部２２に配置可能である。なお、係合部１０７から鉤部１０６までの長さをフランジ部１０３２の幅Ｗよりも長くする場合、太陽電池モジュール２０の外形寸法の許容差に作業性を考慮した遊びを加えた寸法を上限とする。太陽電池モジュール２０の外形寸法の許容差に作業性を考慮した遊びを加えた寸法は、フランジ部１０３２の幅Ｗプラス５ｍｍを例示できる。
【００２２】
コーナ部２２に配置された太陽電池モジュール梱包部材１０８は、三つの鉤部１０６のうちの二つが、太陽電池モジュール２０１のフレーム２１１の側面１０４１と係合する。鉤部１０６の一つは、側面１０４１と係合せずに太陽電池パネル２０ａ１の表面に当たり、平面部１０５が弾性変形する。係合部１０７は、上側の太陽電池モジュール２０２のフレーム２１２の下面をなすフランジ部１０３２に当接して係合する。平面部１０５が弾性変形することにより、太陽電池モジュール梱包部材１０８は、太陽電池モジュール２０１と太陽電池モジュール２０２との間に収まる。
【００２３】
縁部２３に配置された太陽電池モジュール梱包部材１０８は、三つの鉤部１０６のうちの一つが、太陽電池モジュール２０１のフレーム２１１の側面１０４１と係合する。鉤部１０６の二つは、側面１０４１と係合せずに太陽電池パネル２０ａ１の表面に当たり、平面部１０５が弾性変形する。係合部１０７は、上側の太陽電池モジュール２０２のフレーム２１２の下面をなすフランジ部１０３２に当接して係合する。平面部１０５が弾性変形することにより、太陽電池モジュール梱包部材１０８は、太陽電池モジュール２０１と太陽電池モジュール２０２との間に収まる。太陽電池モジュール２０１と太陽電池モジュール２０２との間に収まった太陽電池モジュール梱包部材１０８は、下側の太陽電池モジュール２０１と上側の太陽電池モジュール２０２との位置ずれを防止する。
【００２４】
以上のように、平面部１０５が弾性変形するため、太陽電池モジュール梱包部材１０８は、フレーム２１の側面１０４に係合しない鉤部１０６が太陽電池モジュール２０を積み重ねる妨げとはならない。したがって、実施の形態１に係る太陽電池モジュール梱包部材１０８は、太陽電池モジュール２０のコーナ部２２及び縁部２３のいずれにも適用できる。太陽電池モジュール梱包部材１０８は、上下に隣接する太陽電池モジュール２０１，２０２同士が接触して太陽電池モジュール２０１，２０２が傷ついたり、太陽電池モジュール２０１，２０２が他の物品又は人を傷つけたりすることを防止できる。
【００２５】
上記の説明においては、二枚の太陽電池モジュール２０同士の間に太陽電池モジュール梱包部材１０８を配置しているが、パレット１１５の外形寸法が太陽電池モジュール２０と同じである場合は、パレット１１５と太陽電池モジュール２０との間に太陽電池モジュール梱包部材１０８を配置することもできる。パレット１１５と太陽電池モジュール２０との間に太陽電池モジュール梱包部材１０８を配置する場合は、最初にパレット１１５のコーナ部及び縁部に太陽電池モジュール梱包部材１０８を置き、次に、太陽電池モジュール梱包部材１０８の係合部１０７と太陽電池モジュール２０のフランジ部１０３とが係合するように太陽電池モジュール２０を上から積載する。その後は、上記と同様に太陽電池モジュール２０を積載する。
【００２６】
図８は、実施の形態１に係る太陽電池モジュール梱包部材を用いて太陽電池モジュールを積み重ねた太陽電池モジュール梱包体の別の一例を示す図である。パレット１１５が太陽電池モジュール２０よりも大きい場合は、図８に示すようにパレット１１５の天面に凹状の干渉防止部１１６を設け、鉤部１０６の干渉を防止しても良い。なお、パレット１１５の干渉防止部１１６は、太陽電池モジュール梱包部材１０８の鉤部１０６が納まる構造であれば形状を問わない。干渉防止部１１６は、角穴、丸穴及び切欠きといった形状を例示できる。
【００２７】
なお、太陽電池モジュール梱包部材１０８は、係合部１０７から少なくとも交差する二方向に平面部１０５が延びる構造であればよい。したがって、太陽電池モジュール梱包部材１０８は、係合部１０７から９０度異なる少なくとも二方向に平面部１０５が延びる構造とすることができる。図９は、実施の形態１に係る太陽電池モジュール梱包部材の第１の変形例を示す図である。第１の変形例に係る太陽電池モジュール梱包部材１０８は、係合部１０７から９０度異なる向きで二方向に延びる二つの平面部１０５を有する。第１の変形例に係る太陽電池モジュール梱包部材１０８は、平面部１０５を三つ有する構造よりも少ない材料で製造可能であるため、低コスト化を図れるが、対称形状ではないため、コーナ部２２に配置する際に向きを合わせる必要があり、梱包作業の作業性が低下する。図１０は、実施の形態１に係る太陽電池モジュール梱包部材の第２の変形例を示す図である。第２の変形例に係る太陽電池モジュール梱包部材１０８は、係合部１０７から９０度ずつ異なる向きで四方向に延びる四つの平面部１０５を有する。第２の変形例に係る太陽電池モジュール梱包部材１０８は、コーナ部２２に配置する際に向きを合わせる必要がなく、梱包作業の作業性は平面部１０５を三つ有する構造よりも優れるが、製造に必要な材料が多くなるため、低コスト化の妨げとなる。ユーザは、梱包作業の作業性及び製造コストを鑑みて、平面部１０５の数を選定することができる。
【００２８】
実施の形態１に係る太陽電池モジュール梱包部材１０８は、太陽電池モジュール２０よりも薄くすることができる。したがって、実施の形態１に係る太陽電池モジュール梱包部材１０８は、材料使用量を低減し、使用後の廃材も低減できる。
【００２９】
実施の形態１に係る太陽電池モジュール梱包体１０は、太陽電池モジュール２０のコーナ部２２及び縁部２３に配置する太陽電池モジュール梱包部材１０８が同じ形状であるため、太陽電池モジュール２０を積み重ねる際にコーナ部２２と縁部２３とで太陽電池モジュール梱包部材１０８を区別する必要がなく、梱包作業の効率化を図れる。さらに、パレット１１５と太陽電池モジュール２０との間にも太陽電池モジュール梱包部材１０８を配置する場合は、パレット１１５と太陽電池モジュール２０との間に太陽電池モジュール梱包部材１０８とは異なる形状の部材を配置する場合と比較して、作業効率を向上させることができる。
【００３０】
実施の形態２．
図１１は、本発明の実施の形態２に係る太陽電池モジュール梱包部材の斜視図である。図１２は、実施の形態２に係る太陽電池モジュール梱包部材を用いて太陽電池モジュールを積み重ねた太陽電池モジュール梱包体の斜視図である。実施の形態２に係る太陽電池モジュール梱包部材１０８は、鉤部１０６及び係合部１０７に凹部１２０が形成されている。凹部１２０の幅は、複数の太陽電池モジュール２０を纏める締結バンド１２１の幅と同じである。
【００３１】
凹部１２０に締結バンド１２１を係合させることにより、パレット１１５に積載した太陽電池モジュール２０を一体化し、遠隔地への輸送時又はコンテナヤードで上下方向の振動又は衝撃が加わった時に荷ずれが発生することを防止できる。なお、凹部１２０は、鉤部１０６及び係合部１０７のどちらか一方のみに形成されてもよい。
【００３２】
図１３は、実施の形態２に係る太陽電池モジュール梱包部材の変形例を示す斜視図である。太陽電池モジュール梱包部材２０８は、係合部１０７の三辺から平面部１０５が延びるＴ字形状である。ここで、係合部１０７の対向する二辺から延びる二つの平面部１０５を横棒部といい、係合部１０７の四辺のうち平面部１０５が形成されていない辺と対向する辺から延びる平面部１０５を縦棒部という。太陽電池モジュール梱包部材２０８は、縦棒部の鉤部１０６に凹部１２０が設けられるとともに、係合部１０７に縦棒部と平行に凹部１２０が設けられている。太陽電池モジュール梱包部材２０８は、横棒部が太陽電池モジュール２０の長辺に平行となり、縦棒部が太陽電池モジュール２０の長辺と垂直となるように配置される。太陽電池モジュール梱包部材２０８は、締結バンド１２１が凹部１２０に配置されることにより、複数の太陽電池モジュール２０が纏められる。
【００３３】
実施の形態２に係る太陽電池モジュール梱包部材２０８は、締結バンド１２１がずれて太陽電池モジュール梱包体１０に荷崩れが生じることを防止することができる。
【００３４】
実施の形態３．
図１４は、本発明の実施の形態３に係る太陽電池モジュール梱包部材の斜視図である。図１５は、実施の形態３に係る太陽電池モジュール梱包部材を用いた太陽電池モジュール梱包体での太陽電池モジュールと太陽電池モジュール梱包部材との係合状態を示す断面図である。太陽電池モジュール梱包部材１０８は、平面部１０５の上面に突起部１３１が形成されている。また、太陽電池モジュール２０は、フレーム２１のフランジ部１０３に係合穴１３０が形成されている。太陽電池モジュール２０を積載する際に、突起部１３１と係合穴１３０とを係合させることにより、太陽電池モジュール梱包部材１０８を太陽電池モジュール２０の決まった位置に容易に配置することができる。
【００３５】
上記の実施の形態１、実施の形態２及び実施の形態３では、太陽電池モジュール２０の四つのコーナ部２２と２箇所の縁部２３とに太陽電池モジュール梱包部材１０８を配置したが、太陽電池モジュール梱包部材１０８を太陽電池モジュール２０の四つのコーナ部２２のみに配置しても、太陽電池モジュール２０を保護する効果が期待できる。また、太陽電池モジュール梱包部材１０８は、プラスチック成形で製造されるとしたが、平面部１０５が弾力性を備えておれば、金属又はその他の材料で製造してもよい。また、太陽電池モジュール梱包部材１０８を二つ以上の部材を組み合わせて構成しても同様である。
【００３６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３７】
１０  太陽電池モジュール梱包体、２０，２０１，２０２  太陽電池モジュール、２０ａ，２０ａ１，２０ａ２  太陽電池パネル、２１，２１１，２１２  フレーム、２２  コーナ部、２３  縁部、１０２１，１０２２  保持部、１０３，１０３１，１０３２  フランジ部、１０３ａ１，１０３ａ２  内縁部、１０４，１０４１，１０４２  側面、１０５  平面部、１０６  鉤部、１０７  係合部、１０８，２０８  太陽電池モジュール梱包部材、１１５  パレット、１１６  干渉防止部、１２０  凹部、１２１  締結バンド、１３０  係合穴、１３１  突起部。
【図１】
2019085117.tif 000003
【図２】
2019085117.tif 000004
【図３】
2019085117.tif 000005
【図４】
2019085117.tif 000006
【図５】
2019085117.tif 000007
【図６】
2019085117.tif 000008
【図７】
2019085117.tif 000009
【図８】
2019085117.tif 000010
【図９】
2019085117.tif 000011
【図１０】
2019085117.tif 000012
【図１１】
2019085117.tif 000013
【図１２】
2019085117.tif 000014
【図１３】
2019085117.tif 000015
【図１４】
2019085117.tif 000016
【図１５】
2019085117.tif 000017